(57)【特許請求の範囲】
【請求項１】
複数の管部材(111,121)の連結によって構成される塩化ビニル樹脂製の長尺管(11,12)を井戸(16)から引上げまたは降下させるための長尺管の引上降下装置(1)であって、
長尺管(11,12)を所要の高さ位置まで引上げるウインチ(3)と、
所要の高さ位置にある長尺管(11,12)をその高さ位置で一時的に固定する固定装置(4)と、
自立性を有する支柱(8)と、
を有し、
上記ウインチ(3)に巻き付けてある索条体(31)は、上記支柱(8)の上端側に取り付けられた滑車(7)に回し掛けられ、
該索条体(31)の先端側には、長尺管(11,12)を挿通するための挿通口(91)を有し、該索条体(31)の上方への牽引により長尺管(11,12)に対し傾斜することで挿通孔(91)の口縁部を長尺管(11,12)に係止させて長尺管(11,12)を引上可能に保持する保持部材(9)(90)が設けてあり、該挿通口(91)の口縁部には長尺管(11,12)を保持しやすいように凸状の滑り止め(911)が多数形成されている、
長尺管の引上降下装置。
【請求項２】
長尺管(11,12)を降下させる際に、長尺管(11,12)の降下を制動するための制動手段(2)を有している、
請求項１記載の長尺管の引上降下装置。
【請求項３】
支柱(8)に着脱可能に取付けることができ、長尺管(11,12)を降下させる際に長尺管(11,12)の降下を制動するためのブレーキ装置(2)を有し、
該ブレーキ装置(2)は長尺管(11,12)を周面方向から挟み込むための挟持板(21)と、挟持板(21)と協働して長尺管(11,12)を挟むための基板(22)を備え、上記挟持板(21)は長尺管(11,12)を挟み込むための断面円弧状の挟持部(211,211)を有している、
請求項１記載の長尺管の引上降下装置。
【発明の詳細な説明】
【０００１】
【発明の属する技術分野】
本発明は、長尺管の引上降下装置にかかり、更に詳しくは、長尺管を地中や井戸などから引上げまたは降下させるにあたり、その作業に要する労力を軽減し、長尺管の落下を防止して確実に引上・降下させることができるようにしたものに関する。
【０００２】
【従来技術】
従来より、例えば深井戸用ポンプ装置（本明細書中ではポンプ装置と略す場合がある）の揚水パイプにおいて、その下端部にジェット部を取付けたものが提案されている。この種の揚水パイプは、深井戸から地下水を直接吸い揚げるための吸水パイプと、吸い揚げた地下水の一部を圧力水として再び井戸内に戻すための圧力水パイプを有している。
そうして、ジェット部は吸水パイプと圧力水パイプの下端部に取付られ、両パイプを互いに連結させている。また、吸水パイプと圧力水パイプは一般的に所要の長さのパイプ部材を複数連結して構成されている。
【０００３】
以上のような構成により、揚水パイプはポンプ装置によって引揚げた地下水の一部を圧力水としてジェット部に送ることで、揚水量を向上させるものである。なお、本明細書中で「揚水パイプ」と記載しているものは、「吸水パイプ」と「圧力水パイプ」の両方を組み合わせたものを示している。
【０００４】
ところで、上記したような揚水パイプを長期間使用していると、ジェット部のノズル部分に砂やゴミなどが詰まったり、あるいはパイプ部材の連結部分に隙間ができてしまうことがある。このように、ジェット部が損傷すると、ポンプ装置の揚水量が極端に低下し、水道水の利用に支障が出てくる。
更に、ジェット部に設けてある逆止弁が腐食により錆びて作用しなくなると、揚水パイプに充満しているはずの井戸水が完全に抜け落ちてしまい、全く揚水できなくなる場合もある。
【０００５】
このように、揚水量が低下したり、あるいは全く揚水できなくなった場合は、揚水パイプを一旦井戸から完全に引上げて損傷部位を新しいものと交換しなければならない。また、交換後は再度揚水パイプを井戸へ降ろさなくてはならない。従来は、この揚水パイプの引上・降下作業を通常手作業で行っていた。即ち、長いものでは３０ｍもある揚水パイプを、数人の作業者が直接手で引上げまたは降下させていた。
【０００６】
【発明が解決しようとする課題】
しかしながら、上記したような従来の方法では次のような課題があった。
即ち、通常、揚水パイプ内には井戸水が充満しているため、揚水パイプの全長が３０ｍにもなるとその重量は８０ｋｇを越える。このため、揚水パイプを１人で引上げるのは殆ど不可能で、少なくとも３人以上の人手が必要であった。また、パイプの引上げには３０分ないし１時間しかかからないため、人件費を考えるとその作業に３人もの作業者を使用することは非効率的であった。
【０００７】
また、揚水パイプはその表面に水垢などが付着して非常に滑りやすいので、従来のように直接手で揚水パイプを引上げていると、過って揚水パイプを井戸の中に落としてしまう危険性があった。なお、揚水パイプを一度井戸に落としてしまうと、再び引上げることは殆ど不可能で、その場合は新しく井戸をボーリングする必要があり、多大な手間と費用がかかっていた。
【０００８】
更に、損傷部を交換した後、再び揚水パイプを井戸に降ろす場合においても、全長３０ｍもの揚水パイプを一人で井戸内に降下させることは殆ど不可能で、通常、数人の作業者で行っていた。
【０００９】
（発明の目的）
そこで本発明の目的は、例えば揚水パイプなどの長尺管を地中や井戸などから引上げまたは降下させるにあたり、その作業に要する労力を軽減し、長尺管の落下を防止して確実に引上・降下させることができるようにした長尺管の引上降下装置を提供することにある。
【００１０】
【課題を解決するための手段】
上記目的を達成するために講じた本発明の手段は次のとおりである。
第１の発明にあっては、
複数の管部材(111,121)の連結によって構成される塩化ビニル樹脂製の長尺管(11,12)を井戸(16)から引上げまたは降下させるための長尺管の引上降下装置(1)であって、
長尺管(11,12)を所要の高さ位置まで引上げるウインチ(3)と、
所要の高さ位置にある長尺管(11,12)をその高さ位置で一時的に固定する固定装置(4)と、
自立性を有する支柱(8)と、
を有し、
上記ウインチ(3)に巻き付けてある索条体(31)は、上記支柱(8)の上端側に取り付けられた滑車(7)に回し掛けられ、
該索条体(31)の先端側には、長尺管(11,12)を挿通するための挿通口(91)を有し、該索条体(31)の上方への牽引により長尺管(11,12)に対し傾斜することで挿通孔(91)の口縁部を長尺管(11,12)に係止させて長尺管(11,12)を引上可能に保持する保持部材(9)(90)が設けてあり、該挿通口(91)の口縁部には長尺管(11,12)を保持しやすいように凸状の滑り止め(911)が多数形成されている、
長尺管の引上降下装置である。
【００１１】
第２の発明にあっては、
長尺管(11,12)を降下させる際に、長尺管(11,12)の降下を制動するための制動手段(2)を有している、
第１の発明に係る長尺管の引上降下装置である。
【００１２】
第３の発明にあっては、
支柱(8)に着脱可能に取付けることができ、長尺管(11,12)を降下させる際に長尺管(11,12)の降下を制動するためのブレーキ装置(2)を有し、
該ブレーキ装置(2)は長尺管(11,12)を周面方向から挟み込むための挟持板(21)と、挟持板(21)と協働して長尺管(11,12)を挟むための基板(22)を備え、上記挟持板(21)は長尺管(11,12)を挟み込むための断面円弧状の挟持部(211,211)を有している、
第１の発明に係る長尺管の引上降下装置である。
【００１８】
本明細書中にいう「索条体」は、長尺管を引上げることができる強度を有するものであれば、特に限定するものではなく、例えば、ワイヤーロープやチェーン、あるいは化学繊維や植物繊維などをより合わせた縄などを挙げることができる。
【００１９】
（作  用）
本発明に係る引上降下装置の作用を、▲１▼長尺管を地中から引上げる場合と、▲２▼長尺管を地中に降下させる場合とに分けて説明する。なお、長尺管は複数の管部材の連結により構成されているものとする。
【００２０】
▲１▼長尺管を地中から引上げる場合
まず、長尺管を構成する管部材の連結部分が地上あるいは地上付近に位置するまで、長尺管を引上手段により引上げる。次に、固定手段により長尺管をその高さ位置で一時的に固定した後、長尺管の一部を管部材の連結部分あるいは連結パイプ部分近傍から取り外す。そうして、再び引上手段により、管部材の連結部分が地上あるいは地上付近に位置するまで、長尺管を引上げる。
このように、固定と引上げを繰り返し、長尺管をある一定の長さで分離させながら、段階的に地中から引上げていく。したがって、本発明に係る引上降下装置を使用すれば、引上作業に要する労力を軽減でき、従来数人の作業者で行っていた引上作業を一人で行うことが可能である。
【００２１】
引上手段は巻上機であって、当該巻上機に設けてある長尺管を引上げるための索条体には、長尺管を引上可能に保持する保持部材が設けてあり、当該保持部材は長尺管を挿通するための挿通口を有しているものにあっては、次のように作用する。
即ち、索条体の上方への牽引により保持部材が長尺管に対し傾斜する。これにより、保持部材の挿通口縁部のうちの向かい合う端縁部側が長尺管の周面に係止され、長尺管を引上可能に強固に保持する。このように本発明に係る保持部材は簡単な構造ではあるが、直接手で引上げる場合と比べ、長尺管を地中に落下させることなく確実に保持することができる。
【００２２】
▲２▼長尺管を地中に降ろす場合
まず、長尺管の構成部材である管部材の先端側が地上から所定の高さ突出した状態あるいは地上からやや隠れるような状態まで、管部材を降下させる。そして、固定手段により管部材をその位置で一時的に固定し、他の管部材を固定状態の管部材の先端側に連結する。そうして、新たに連結した管部材の先端側が地上から所定の高さ突出した状態あるいは地上からやや隠れるような状態まで、管部材を再度引き下げる。
このようにして、構成部材である管部材を連結させながら長尺管全体を構成してゆき、長尺管を段階的に降ろしていく。したがって、本発明に係る引上降下装置を使用すれば、降下作業に要する労力を軽減でき、従来数人の作業者で行っていた降下作業を一人で行うことが可能である。
【００２３】
長尺管の降下を制動するための制動手段が設けられているものにあっては、自重による長尺管の降下スピードを適宜調節することができるので、従来のように長尺管を直接手で掴んで降下させる場合よりも、素早く降下させることができる。また、長尺管を直接手で掴んで降下させる必要もないので、降下作業にかかる作業者の労力を軽減できる。よって、従来複数の作業者によって行っていた降下作業を一人で行うことが可能である。
【００２４】
【発明の実施の形態】
本発明を図面に示した実施の形態に基づき更に詳細に説明する。
図１は本発明に係る引上降下装置の実施の形態を示す、支柱の一部を省略した分解斜視図、図２は図１に示す引上降下装置のワイヤーロープ先端に設けてある保持リングの拡大斜視図、図３は図１に示すブレーキ装置の拡大斜視図である。
【００２５】
符号１は、長尺管を地中から引上げまたは降下させる際に使用する引上降下装置である（図１参照）。引上降下装置１の構成部材の一つであるブレーキ装置２は、長尺管を地中に降下させる際に引上降下装置１の本体に装着して使用するもので、長尺管の降下を制動するものである。
【００２６】
引上降下装置１は、長尺管を所要の高さ位置まで引上げるウインチ３と、所要の高さ位置にある長尺管をその高さ位置で一時的に固定する固定装置４とを有している。更に、引上降下装置１は、下方側に折畳み可能な三脚５を有しており、上記のウインチ３と固定装置４は三脚５に固定された台架６に各々取付けてある。
【００２７】
台架６のほぼ中央には断面方形の支持パイプ６１が立設されており、支持パイプ６１には上端に滑車７が取付られた全長約４ｍの支柱８が着脱可能に挿設されている。なお、支柱８は支持パイプ６１から取り外せるので、引上降下装置１をコンパクトに収納でき、持ち運びに便利である。
【００２８】
また、滑車７にはウインチ３に巻き付けてあるワイヤーロープ３１が回し掛けられている。そして、ワイヤーロープ３１の先端にはより戻し３２が取付けてあり、より戻し３２に取付けられた連結リング３３には保持リング９，９が取付けてある。保持リング９は長尺管を引上可能に保持するもので、長尺管を挿通するための円形の挿通口９１を有している（図２参照）。挿通口９１の口縁部には、長尺管を保持しやすいように凸状の滑り止め９１１が多数形成されている。
【００２９】
なお、後述するように、本実施の形態では２本のパイプで構成される長尺管を井戸から引上げるため、連結環３３には二個の保持リング９が取付けられている。また、取付けられる保持リング９の数は、引上げ対象である長尺管の本数に応じて適宜設定される。
【００３０】
支柱８の上端側の側面にはガイド環８１が設けてある（図１参照）。このガイド環８１は長尺管を引上・降下させる際に、長尺管をガイドし、引上降下装置１から長尺管が倒れないようにするものである。更に、支柱８の下端側の側面の２ヶ所には、ブレーキ装置２を着脱可能に取付けるための上フック受け部８２，下フック受け部８３が所要間隔をおいて設けてある。
【００３１】
また、支柱８は全長１．５ｍの金属製パイプを２本と、全長１．２ｍの金属製パイプを１本連結することで構成されており、支柱８を台架６から取り外して持ち運ぶ際には３本のパイプに分割できる。更に、連結するパイプ数を変えることで、支柱８の全長をパイプの長さ単位で適宜調節することができる。したがって、長尺管の全長が長い場合には、連結するパイプ数を増やしてその長さに応じた支柱８を構成する。
【００３２】
台架６に設けてある固定装置４はＵ字状の保持部４３を有しており、保持部４３の内側には台架６の支持板６３と協働して長尺管を挟み込むための固定板４２が設けられている。そして、ハンドル４４を操作することにより固定板４２が前後に移動し、長尺管を適宜固定するようになっている。また、保持部４３は軸部４１を中心にして図１の矢印ａ方向（水平方向）に回動可能となっている。即ち、保持部４３の内側に設けてある固定板４２を水平に開くことができるので、長尺管を固定装置４の下方側からではなく、側面方向から挿入して挟口に固定することができる。
また、本実施の形態ではハンドル４４は片手でも操作しやすいように十字状に構成されているが、これに限定するものではない。
【００３３】
更に、台架６に取付けられている鎖６２の先端部には、固定装置４の保持部４３を台架６の支持板６３に固定するための固定ピン６２１が取付けてある。固定ピン６２１は保持部４３と支持板６３のそれぞれに設けられた固定孔４２１に嵌入れられる。
【００３４】
次に、ブレーキ装置２について説明する。
ブレーキ装置２は、長尺管を井戸に降下させる際に、支柱８の上フック受け部８２または下フック受け部８３に適宜装着して使用するものである。ブレーキ装置２は、長尺管を周面方向から挟み込むための挟持板２１と、挟持板２１と協働して長尺管を挟むための基板２２から構成される（図３参照）。
【００３５】
符号２３は、挟持板２１と基板２２の基部側を開閉可能に連結するための蝶番である。また、挟持板２１は、後述する２本のパイプから構成される長尺管を挟み込むため、中央付近の２箇所に断面円弧状の挟持部２１１，２１１を有している。なお、挟持板２１によって長尺管を挟み込む際に長尺管の周面を傷つけないよう、挟持部２１１，２１１の内側にゴム部材を取付けることもできる。
【００３６】
なお、挟持部２１１の数は、降下させる長尺管の本数に応じて適宜設定される。また、ブレーキ装置２は、水に対して錆びにくいという観点からステンレス板で形成されている。
【００３７】
更に、挟持板２１と基板２２の図３における右端側にはハンドル２１２，２２１が設けてあり、このハンドル２１２，２２１を手で掴んで、挟持板２１と基板２２の間隔を適宜調整できるようにしてある。また、ハンドル２２１の基部側には挟持板２１と基板２２の開閉を固定するためのロック体２２２が取付られている。ロック体２２２にはハンドル２２１をロックするための凹部２２４が所要数（本実施の形態では２箇所に）設けてある。これにより長尺管を挟んだ状態で挟持板２１と基板２２をロックすれば、長尺管を所定の高さ位置で保持することが可能である。
【００３８】
なお、上記したようにロック体２２２には所要数の凹部２２４が設けてあるので、外径の異なる種々の長尺管にも適宜対応してロックすることができる。また、ロック体に長尺管のロック位置を適宜調整できるような調節ネジ等を取付けることもできる。
【００３９】
基板２２の裏面には、支柱８の上フック受け部８２あるいは下フック受け部８３に装着するためのＬ型状のフック２２３が設けてある。
なお、フック２２３の上面側にも別のフック（図示せず）を逆向きに取付けることにより、支柱８に対し左右どちら向きでもブレーキ装置２を装着することができる。これにより、左右どちらからでもブレーキ装置２を操作することができ、ウインチ３を利き腕により円滑に操作することが可能である。
【００４０】
またこの場合は、ロック体２２２をハンドル２１２側にも別に取付けて（図示せず）、図３における下側からハンドル２２１をロックできるようにする。このようにすれば、左右どちらからでも挟持板２１と基板２２をロックすることができる。また、ハンドル２２１に取付けてあるロック部材２２２において、凹部２２４の反対側にも複数の凹部を設けることにより、左右どちらからでも挟持板２１と基板２２をロックすることもできる。
【００４１】
更に、本実施の形態では、挟持板２１と基板２２にハンドル２１２，２２１をそれぞれ取付けたものを取り上げているが、挟持板２１と基板２２の把手側の形状を手で握りやすいようにすぼませて形成すれば、ハンドル２１２，２２１を別段取付なくても良い。
【００４２】
（作  用）
深井戸用ポンプ装置の揚水パイプに使用するジョット部の交換方法を例に挙げて、本実施の形態に係る引上降下装置１の作用を説明する。
【００４３】
まず、引上・降下の対象である揚水パイプ１０の構造について説明する。図４は揚水パイプの施工状態を示す断面説明図で、地中内の一部を省略して表している。
揚水パイプ１０は、塩化ビニル樹脂製の吸水パイプ１１と圧力水パイプ１２によって主に構成されている。吸水パイプ１１は深井戸から地下水を直接吸い揚げるための機能を有し、圧力水パイプ１２は吸い揚げた地下水の一部を圧力水として再びパイプの下端に戻すための機能を有している。
【００４４】
なお、本実施の形態では、８本のパイプ部材１１１（一本当たり約４ｍ）が７個の連結パイプ１１２を介して連結することにより、全長約３２ｍの吸水パイプ１１を構成している。即ち、内径が約１０ｃｍの連結パイプ１１２に、外径が約１０ｃｍのパイプ部材１１１が連結パイプ１１２の両端側からそれぞれ挿設される。また、連結パイプ１１２もパイプ部材１１１と同じく塩化ビニル樹脂製の材料で形成されている。
【００４５】
また、圧力水パイプ１２についても、吸水パイプ１１と同様に、８本のパイプ部材１２１が７個の連結パイプ１２２介して連結して構成される。
なお、連結パイプ１１２，１２２は、その周面側が互いに接触しないよう、それぞれ位置を少しずらして設けられている。
【００４６】
以上のようにして構成される揚水パイプ１０は、上端に設けてあるエルボ１３，１３を介してポンプ装置１４に取付けられており、揚水パイプ１０自体は井戸１６内に収容されている。更に、揚水パイプ１０の下端部はジェット部１５が取付けられている。
【００４７】
ところで、損傷したジェット部１５を新しいものに交換するためには、▲１▼井戸１６から揚水パイプ１０を引上げる（揚水パイプの引上作業）、▲２▼揚水パイプ１０を引上げた後、ジェット部１５を交換する（ジュット部の交換作業）、▲３▼揚水パイプ１０を再び井戸１６内へ戻す（揚水パイプの降下作業）、の３つの作業手順を踏まなければならない。
【００４８】
図５はポンプ装置から取り外した揚水パイプを引上降下装置のワイヤーロープで牽引している状態を示す要部拡大説明図、
図６は引上降下装置を使用して揚水パイプを引上げている状態を示す、地中の一部を省略した断面図、
図７は図６の要部拡大説明図、
図８は引上降下装置の保持リングによって、揚水パイプを引上可能に保持している状態を側面方向から見た要部拡大説明図、
図９は連結パイプ付近で揚水パイプの一部を切断した状態を示す引上降下装置の要部拡大説明図、
図１０はジェット部を交換した後、引上降下装置を使用してパイプ部材を再び井戸内に下ろしている状態を示す要部拡大説明図、
図１１はパイプ部材を一時的に固定して、その先端に他のパイプ部材を連結している状態を示す引上降下装置の要部拡大説明図である。
なお、図５、図７ないし図１１は、説明の都合上、支柱８と揚水パイプ１０の一部を省略して表している。
図面を参照して、ジェット部の交換方法を説明する。
【００４９】
▲１▼揚水パイプの引上作業
まず、図４に示すポンプ装置１４の近傍に引上降下装置１を配置する。なお、揚水パイプ１０の引上作業を行う際には、図２のブレーキ装置２は使用しないので、引上降下装置１の本体から取り外しておく。また、引上降下装置１の三脚５の一部（図面上では、脚５１のことを示す）が邪魔になるようであれば、図５のように脚５１を三脚５本体から取り外しおく。
【００５０】
次に、固定ピン６２１を外して固定装置４を開き、揚水パイプ１０を固定板４２でいつでも固定できるように準備しておく。そして、ワイヤーロープ３１をポンプ装置１４まで下ろし、ポンプ装置１４と揚水パイプ１０を連結するエルボ１３，１３にワイヤーロープ３１の先端部分を巻き付けて揚水パイプ１０を保持する。そうして、ポンプ装置１４と揚水パイプ１０を連結する取付ネジ（図示せず）を外し、ポンプ装置１４から揚水パイプ１０を取り外す。
【００５１】
このように、ポンプ装置１４から揚水パイプ１０を取外す際に、ワイヤーロープ３１で揚水パイプ１０を一旦保持する。このようにすれば、ポンプ装置１４から揚水パイプ１０を取外す際に、過って揚水パイプ１０から手を離したとしても、揚水パイプ１０はワイヤーロープ３１で保持されているので、井戸１６内に揚水パイプ１０が落ちるということない。
【００５２】
続いて、ワイヤーロープ３１で巻き付けた揚水パイプ１０を、ウインチ３を使って所要の高さまで引上げる（図５参照）。このときの揚水パイプ１０の引上げ位置は、固定装置４よりも１ｍ程度出るぐらいである。続いて、固定装置４により揚水パイプ１０をその高さ位置で一時的に固定し、ワイヤーロープ３１をエルボ１３，１３から取外す。
【００５３】
なお、ワイヤーロープ３１の先端に例えば着脱可能な吊り輪（図示せず）を取付けて、この吊り輪を使用して揚水パイプ１０を保持するようにしてもよい。このようにすれば、揚水パイプ１０への巻き付けによるワイヤーロープ３１の損傷を防止することができる。
【００５４】
次に、ワイヤーロープ３１の先端に設けてある保持リング９を揚水パイプ１０に嵌入れるため、パイプソー（図示せず）でエルボ１３，１３を切断する。その後、保持リング９を揚水パイプ１０に嵌入れて、揚水パイプ１０の下方側へ（固定装置４よりもやや高い位置まで）保持リング９をずり下げる（図６及び図７参照）。次に、ウインチ３でワイヤーロープ３１を少しばかり牽引し、揚水パイプ１０を引上可能に保持する。
【００５５】
揚水パイプ１０は、次のようにして保持リング９により保持される（図８参照）。
即ち、ワイヤーロープ３１の牽引により、保持リング９は揚水パイプ１０に対して傾斜する。これにより、挿通口９１の周縁部のうち図８における左端縁部ｂと右端縁部ｃが揚水パイプ１０の周面に係止されるので、表面に水垢などが付着して非常に滑りやすい揚水パイプ１０でも引上可能に強固に保持される。このように保持リング９は簡単な構造ではあるが、直接手で引上げる場合と比べ、揚水パイプ１０を井戸１６内に落下させることなく確実に保持することができる。
【００５６】
続いて、揚水パイプ１０が確実に保持されているか確認しながら、固定装置４を少しずつ開き、揚水パイプ１０の固定を解除する。揚水パイプ１０の固定を解除したら、ウインチ３を更に巻き上げ、揚水パイプを２ｍ程度引上げる。この２ｍというのは、揚水パイプ１０を構成するパイプ部材１１１，１２１（図４参照）の全長４ｍの半分を意味している。
揚水パイプ１０を２ｍ程引上げたら、固定装置４により再度揚水パイプ１０を固定する。そして、揚水パイプ１０を更に２ｍ引上げるために、ウインチ３を緩るめ、保持リング９を揚水パイプ１０の下方（固定装置４よりもやや高い位置）までずらす。
【００５７】
そうして、保持リング９で再び揚水パイプ１０を保持し、パイプ部材１１１，１２１を連結する連結パイプ１１２，１２２が固定装置４よりも高い位置に来るまで、揚水パイプ１０を引上げる（残り約２ｍ）。連結パイプ１１２，１２２が固定装置４の上まで来たら、再び揚水パイプ１０を固定装置４で固定する（図９参照）。揚水パイプ１０を固定したら、連結パイプ１１２，１２２の上端側でパイプ部材１１１，１２１を切断し、揚水パイプ１０の一部を連結部分付近から取外す。
【００５８】
なお、切断して取り除いたパイプ部材１１１，１２１に損傷がなければ、また再利用することができる。また、再使用する場合には、後述するように、その先端に設けてある連結パイプ１１２，１２２をパイプ部材１１１，１２１本体から切断して取り除いておかなければならない。
【００５９】
次に、ワイヤーロープ３１の牽引により保持リング９で揚水パイプ１０を再び保持し、固定装置４を緩めて揚水パイプ１０の固定を解除する。このとき、固定装置４は、揚水パイプ１０の固定が解除される程度に開けば良く、連結パイプ１１２，１２２の径よりも広く開かないようにする。このようにすれば、揚水パイプ１０を引上げている最中に、揚水パイプ１０から保持リング９が外れたとしても、連結パイプ１１２，１２２が固定装置４の挟口に引っ掛かかるので、井戸１６への揚水パイプ１０の落下を防止することができる。
【００６０】
以上のようにして、地上に出た揚水パイプ１０の一部を切断して取除きながら、揚水パイプ１０を段階的に引上げていく。なお、本実施の形態では、吸水パイプ１１及び圧力水パイプ１２はそれぞれ８本のパイプ部材１１１，１２１によって構成されているので、計７回の切り離し作業を行わなければならない。
【００６１】
▲２▼ジェット部の交換作業
揚水パイプ１０をパイプ部材１１１，１２１ごとに分割して引上げたら、先端に設けてあるジェット部１５を交換する。また、分離したパイプ部材１１１，１２１（本実施の形態では計８本、吸水パイプ１１と揚水パイプ１２を合わせると計１６本）は、パイプ自体に損傷がなければまた再利用できる。損傷部位が見つかれば、新しいパイプ部材と交換する。
【００６２】
なお、パイプ部材１１１，１２１を再利用する場合は、先端の連結パイプ１１２，１２２を予め切断しておき、新しい連結パイプ１１２，１２２を接着して取付けておく。また、パイプ部材１１１，１２１を井戸１６に降ろす際に滑らないように、表面に付着した水滴や水垢などは予め雑巾等で拭いておいた方が良い。
【００６３】
▲３▼揚水パイプの降下作業
まず、図２に示したブレーキ装置２を引上降下装置１の下フック受け部８３に取付ける。そして、下端部に新しいジェット部１５を取付けたパイプ部材１１１，１２１を手で掴んで引き揚げ、その下方側を固定装置４で固定する（図１０参照）。次に、ブレーキ装置２の挟持板２１でパイプ部材１１１，１２１を挟み込む。続いて、ロック体２２２でハンドル２１２，２２１をロックし、パイプ部材１１１，１２１をその高さ位置で一旦固定する。
【００６４】
ブレーキ装置２でパイプ部材１１１，１２１を固定したら、固定装置４によるパイプ部材１１１，１２１の固定を解除する。次に、ハンドル２１２を一方の手で持ち、挟持板２１でパイプ部材１１１，１２１を保持したまま、もう片方の手でロック体２２２のロックを解除する。ロックを解除したら、両手でハンドル２１２，２２１を握り直す。
【００６５】
そうして、ハンドル２１２，２２１により挟持板２１と基板２２との開きを適宜調整してパイプ部材１１１，１２１の自重による降下を制動しながら、パイプ部材１１１，１２１を井戸１６内へ降下させていく。
【００６６】
なお、固定装置４の固定を解除するときは、パイプ部材１１１，１２１の径よりもやや広い程度に開けば良く、固定装置４をあまり開けないようにする。こうすれば、パイプ部材１１１，１２１が滑って井戸１６の中に落ちそうになっても、連結パイプ１１２，１２２が固定装置４の挟口に引っ掛かるので、パイプ部材１１１，１２１が井戸１６に落下することがない。
【００６７】
続いて、パイプ部材１１１，１２１の先端に設けてある連結パイプ１１２，１２２がブレーキ装置２の上部側付近まで来たら、パイプ部材１１１，１２１の降下を止め、再び固定装置４で固定する。
【００６８】
次に、ブレーキ装置２を下フック受け部８３から取り外し、上フック受け部８２に装着し直す（図１１参照）。これにより、パイプ部材１１１，１２１の降下作業を更に進めても、連結パイプ１１２，１２２がブレーキ装置２に引っかかることはない。なお、移動したブレーキ部材２の挟持板２１２は、作業の邪魔にならない程度に開いておいたほうが良い。
【００６９】
続いて、他のパイプ部材１１１，１２１（先端には既に連結パイプ１１２，１２２が取付けてある）を、固定装置４で固定したパイプ部材１１１，１２１の先端側に取付ける。なお、本実施の形態では、パイプ部材１１１，１２１同士の連結に瞬間接着剤を使用している。
【００７０】
パイプ部材１１１，１２１同士が完全に連結したら、上フック受け部８２に装着していたブレーキ装置２を下フック受け部８３にもどす。そうして、再びブレーキ装置２を操作しながら、パイプ部材１１１，１２１を井戸１６に降下させていく。
この操作を繰り返して、計８本のパイプ部材１１１，１２１（吸水パイプ１１と圧力水パイプ１２を合わせると計１６本）を連結して揚水パイプ１０を構成しながら、当該揚水パイプ１０を井戸１６内に降下させていく。
【００７１】
パイプ部材１１１，１２１を連結して揚水パイプ１０をほぼ完全に構成したら、再び固定装置４で固定する。そして、ポンプ装置１４に取付けるため、その上端部にエルボ１３，１３を接着する。その後、引上げ作業と同じ手順でエルボ１３，１３にワイヤーロープ３１を巻き付け、ウインチ３を使ってゆっくりとポンプ装置１４の取付位置まで降下させる。揚水パイプ１０を所定の高さまで降下させたら、取付ねじを使ってポンプ装置１４に揚水パイプ１０を取付ける。
【００７２】
なお、エルボ１３，１３を取付けた揚水パイプ１０をポンプ装置１４の取付位置まで降下させる際に、上記した吊り輪を使用しても良い。
【００７３】
このように、降下作業にブレーキ装置を使用すれば、従来のように長尺管を直接手で掴んで降下させる場合よりも、素早く降下させることができる。
【００７４】
なお、揚水パイプ１０を引上げる際に、連結パイプ１１２，１２２と共にパイプ部材１１１，１２１の一部も同時に切断しているため、揚水パイプ１０の全長が引上げ時点と比べやや短くなっている。これにより、ポンプ装置の揚水量に支障をきたす場合は、８本のパイプ部材１１１，１２１以外に、所要の長さのパイプ部材を別に継ぎ足し、揚水パイプ１０の全長を適宜調整する。
【００７５】
以上のように、引上降下装置１を使用すれば、引上・降下作業に要する労力を軽減でき、従来、数人の作業者で行っていた引上・降下作業を一人で行うことが可能である。
【００７６】
図１２はワイヤーロープの先端に取付けられる保持リングの他の実施の形態を示す要部拡大説明図である。
なお、図２で示した保持リング９と同一または同等箇所には同一の符号を付して示している。また、上記保持リング９で示してある箇所については、説明を省略し、主に相異点を説明する。
【００７７】
符号９０は、揚水パイプ１０を引上可能に保持するための保持リング部材を示している。保持リング部材９０は、ステンレス製の一枚板の左右両側付近に挿通口９１，９１を開口させることにより形成される。
【００７８】
保持リング部材９０のほぼ中央には、ワイヤーロープ３１先端に位置する連結環３３を取付けるために、連結孔９０２が開口してある凸部９０１が設けてある。凸部９０１は嵌入れた揚水パイプ１０と連結リング３３とが接触しないように、保持リング部材９０本体から外側にややはみ出して（図１２において上方側に）設けられている。
【００７９】
（作  用）
保持リング部材９０は、保持リング９と相違して一枚板によって形成されており、また連結リング３３の円周方向と保持リング部材９０の長手方向が同じ向きになるように取付られている。したがって、挿通口９１，９１は長尺管の保持位置がほぼ同じ高さで一定しており、２本のパイプで構成される揚水パイプ１０を安定した状態で確実に保持することができる。
【００８０】
なお、本明細書で使用している用語と表現はあくまで説明上のものであって、限定的なものではなく、上記用語、表現と等価の用語、表現を除外するものではない。また、本発明は図示の実施の形態に限定されるものではなく、技術思想の範囲内において種々の変形が可能である。
【００８１】
【発明の効果】
本発明は上記構成を備え、次の効果を有する。
（ａ）長尺管を地中から引上げる場合には、長尺管を構成する管部材の連結部分が地上あるいは地上付近に位置するまで、長尺管を引上手段により引上げる。次に、固定手段により長尺管をその高さ位置で一時的に固定した後、地上に出た長尺管の一部を管部材の連結部分あるいは連結パイプ部分近傍から取り外す。そうして、再び引上手段により、管部材の連結部分が地上あるいは地上付近に位置するまで、長尺管を引上げる。
このように、固定と引上げを繰り返し、長尺管をある一定の長さで分離させながら、段階的に井戸から引上げていく。したがって、引上降下装置を使用すれば、引上作業に要する労力を軽減でき、従来数人の作業者で行っていた引上作業を一人で行うことが可能である。
【００８２】
（ｂ）引上手段が巻上機であり、巻上機に設けてある長尺管を引上げるための索条体には、長尺管を引上可能に保持する保持部材が設けてあり、当該保持部材は長尺管を挿通するための挿通口を有しているものにあっては、索条体の上方への牽引により保持部材を長尺管に対し傾斜させることにより、長尺管を引上可能に強固に保持することができる
このように本発明に係る保持部材は簡単な構造ではあるが、直接手で引上げる場合と比べ、長尺管を地中に落下させることなく確実に保持することができる。
【００８３】
（ｃ）長尺管を地中に降ろす場合には、まず、長尺管の構成部材である管部材の上端側が地上から所定の高さ突出した状態あるいは地上からやや隠れるような状態まで、管部材を降下させる。そして、固定手段により管部材をその位置で一時的に固定し、他の管部材を固定状態の管部材の上端に連結する。そうして、新たに連結した管部材の上端側が地上から所定の高さ突出した状態あるいは地上からやや隠れるような状態まで、管部材を再度引き下げる。
このようにして、構成部材である管部材を連結させながら長尺管全体を構成してゆき、長尺管全体を段階的に降ろしていく。したがって、引上降下装置を使用すれば、長尺管の降下作業に要する労力を軽減でき、従来数人の作業者で行っていた降下作業を一人で行うことが可能である。
【００８４】
（ｄ）長尺管の降下を制動するための制動手段が設けられているものにあっては、自重による長尺管の降下スピードを適宜調節することができるので、従来のように長尺管を直接手で掴んで降下させる場合よりも、素早く降下させることができる。また、長尺管を直接手で掴んで降下させる必要もないので、降下作業にかかる作業者の労力を軽減できる。よって、従来複数の作業者によって行っていた降下作業を一人で行うこともできる。
【図面の簡単な説明】
【図１】  本発明に係る引上降下装置の実施の形態を示す、支柱の一部を省略した分解斜視図である。
【図２】  図１に示す引上降下装置のワイヤーロープ先端に設けてある保持リングの拡大斜視図である。
【図３】図１に示すブレーキ装置の拡大斜視図である。
【図４】揚水パイプの施工状態を示す断面説明図で、地中内の一部を省略して表している。
【図５】ポンプ装置から取り外した揚水パイプを引上降下装置のワイヤーロープで牽引している状態を示す要部拡大説明図である。
【図６】引上降下装置を使用して揚水パイプを引上げている状態を示す、地中の一部を省略した断面図である。
【図７】図６の要部拡大説明図である。
【図８】引上降下装置の保持リングによって、揚水パイプを引上可能に保持している状態を側面方向から見た要部拡大説明図である。
【図９】連結パイプ付近で揚水パイプの一部を切断した状態を示す引上降下装置の要部拡大説明図である。
【図１０】ジェット部を交換した後、引上降下装置を使用してパイプ部材を再び井戸内に下ろしている状態を示す要部拡大説明図である。
【図１１】パイプ部材を一時的に固定して、その先端に他のパイプ部材を連結している状態を示す引上降下装置の要部拡大説明図である。
【図１２】ワイヤーロープの先端に取付けられる保持リングの他の実施の形態を示す要部拡大説明図である。
【符号の説明】
１  引上降下装置
２  ブレーキ装置
２１  挟持板
２２１  挟持部
２２  基板
２１２，２２１  ハンドル
２２２  ロック体
２２３  フック
２２４  凹部
３  ウインチ
３１  ワイヤーロープ
３２  より戻し
３３  連結リング
４  固定装置
４１  軸部
４２  固定板
４３  保持部
４４  ハンドル
５  三脚
５１  脚
６  台架
６１  支持パイプ
６２  鎖
６３  支持板
７  滑車
８  支柱
８１  ガイド環
８２  上フック受け部
８３  下フック受け部
９  保持リング
９０  保持リング部材
９０１  凸部
９０２  連結孔
９１  挿通口
９１１  滑り止め
１０  揚水パイプ
１１  吸水パイプ
１２  圧力水パイプ
１１１，１２１  パイプ部材
１１２，１２２  連結パイプ
１３  エルボ
１４  ポンプ装置
１５  ジェット部
１６  井戸
【図１】
0003953666.tif 000002
【図２】
0003953666.tif 000003
【図３】
0003953666.tif 000004
【図４】
0003953666.tif 000005
【図５】
0003953666.tif 000006
【図６】
0003953666.tif 000007
【図７】
0003953666.tif 000008
【図８】
0003953666.tif 000009
【図９】
0003953666.tif 000010
【図１０】
0003953666.tif 000011
【図１１】
0003953666.tif 000012
【図１２】
0003953666.tif 000013